(57)【要約】  第１のビデオセグメントＣ１、…、ＣＭと第２のビデオセグメントＳ１、…、ＳＮとの間の遷移は、第１のビデオセグメントの内容の第１のプロファイルを決定し（１０３）、次いで第２のビデオセグメントの内容の第２のプロファイルを決定し（１０３）、前記第１のビデオセグメントと第２のビデオセグメントとの間の遷移を平滑化するため、前記決定された第１のプロファイルが前記決定された第２のプロファイルと類似している位置Ｓｊ、Ｓｊ＋１において前記第２のビデオセグメント内に前記第１のビデオセグメントを挿入する（１０５）ことにより、平滑化される。
2010518672.tif 000002
【特許請求の範囲】
【請求項１】
第１のビデオセグメントと第２のビデオセグメントとの間の遷移を平滑化するための方法であって、
第１のビデオセグメントの内容の第１のプロファイルを決定するステップと、
第２のビデオセグメントの内容の第２のプロファイルを決定するステップと、
前記第１のビデオセグメントと第２のビデオセグメントとの間の遷移を平滑化するため、前記決定された第１のプロファイルが前記決定された第２のプロファイルと類似している位置において前記第２のビデオセグメント内に前記第１のビデオセグメントを挿入するステップと、
を有する方法。
【請求項２】
前記第２のビデオセグメント内に前記第１のビデオセグメントを挿入するステップは、
前記決定された第１のプロファイルと前記決定された第２のプロファイルとの間の類似度が類似度閾値を超える位置において、前記第２のビデオセグメント内に前記第１のビデオセグメントを挿入するステップ
を有する、請求項１に記載の方法。
【請求項３】
前記第１のプロファイルを決定するステップは、
前記第１のビデオセグメントの複数のフレームの各フレームから、少なくとも１つの第１の特徴を抽出するステップと、
前記抽出された第１の特徴の１次の又はより高次の統計特性を決定するステップと、
前記抽出された第１の特徴の前記決定された統計特性の第１のプロファイルを生成するステップと、
を有する、請求項１に記載の方法。
【請求項４】
前記第２のプロファイルを決定するステップは、
前記第２のビデオセグメントの複数のフレームの各フレームから、少なくとも１つの第２の特徴を抽出するステップであって、前記少なくとも１つの第２の特徴は前記少なくとも１つの第１の特徴に対応するものであるステップと、
前記抽出された第２の特徴の１次の又はより高次の統計特性を決定するステップと、
前記抽出された第２の特徴の前記決定された統計特性の第２のプロファイルを生成するステップと、
を有する、請求項３に記載の方法。
【請求項５】
前記第２のビデオセグメント内に前記第１のビデオセグメントを挿入するステップは、
複数の抽出された第１及び第２の特徴について、前記生成された第１のプロファイル及び前記生成された第２のプロファイルから、複数の類似度推定値を決定するステップと、
前記複数の類似度推定値を結合するステップと、
前記結合された類似度推定値が所定の閾値を超える位置において、前記第２のビデオセグメント内に前記第１のビデオセグメントを挿入するステップと、
を有する、請求項１に記載の方法。
【請求項６】
前記第２のビデオセグメント内に前記第１のビデオセグメントを挿入するステップは、
前記第１及び第２のプロファイルの複数の対応する部分について、前記生成された第１のプロファイル及び前記生成された第２のプロファイルから、複数の類似度推定値を決定するステップと、
前記複数の類似度推定値のうち最も高い類似度推定値を決定するステップと、
前記最も高い類似度推定値の位置において、前記第２のビデオセグメント内に前記第１のビデオセグメントを挿入するステップと、
を有する、請求項１に記載の方法。
【請求項７】
前記第１のビデオセグメントと第２のビデオセグメントとの間の遷移を平滑化するため、前記第１のプロファイルと前記第２のプロファイルとの間のいずれかの残余の差に基づいて、前記第１のビデオセグメントと前記第２のビデオセグメントとの間の遷移位置において挿入部分を挿入するステップ
を更に有する、請求項１に記載の方法。
【請求項８】
請求項１乃至７のいずれか一項に記載の方法を実行するための複数のプログラムコード部分を有する、コンピュータプログラム。
【請求項９】
第１のビデオセグメントと第２のビデオセグメントとの間の遷移を平滑化するための装置であって、
第１のビデオセグメントの内容の第１のプロファイルを決定するための第１の決定手段と、
第２のビデオセグメントの内容の第２のプロファイルを決定するための第２の決定手段と、
前記第１のビデオセグメントと第２のビデオセグメントとの間の遷移を平滑化するため、前記決定された第１のプロファイルが前記決定された第２のプロファイルと類似している位置における、前記第２のビデオセグメント内への前記第１のビデオセグメントの挿入のための位置を決定するための第３の決定手段と、
を有する装置。
【請求項１０】
前記決定された位置において、前記第２のビデオセグメント内に前記第１のビデオセグメントを挿入するための編集手段を更に有する、請求項９に記載の装置。
【請求項１１】
前記第１のビデオセグメントの複数のフレームの各フレームから、少なくとも１つの第１の特徴を抽出する、及び／又は前記第２のビデオセグメントの複数のフレームの各フレームから、少なくとも１つの第２の特徴を抽出するための抽出手段と、
前記抽出された第１の特徴の１次の又はより高次の統計特性を決定し、前記抽出された第１の特徴の前記決定された統計特性の第１のプロファイルを生成する、及び／又は、前記抽出された第２の特徴の１次の又はより高次の統計特性を決定し、前記抽出された第２の特徴の前記決定された統計特性の第２のプロファイルを生成するための処理手段と、
を更に有する、請求項９に記載の装置。
【発明の詳細な説明】
【技術分野】
【０００１】
本発明は、第１のビデオセグメントと第２のビデオセグメントとの間の遷移を平滑化するための方法及び装置に関する。
【背景技術】
【０００２】
ディジタルマルチメディア放送及び配信の普及によって、コマーシャルはいまや、人々の日常生活における重要な役割を担っている。コマーシャルのないラジオ又はＴＶ番組は、ますます稀なものとなっている。企業は製品を広告するためにコマーシャルを用い、放送者は補助的な（又は主要な）収入を生み出すためにコマーシャルを必要とする。一方で、平均的な消費者はしばしば、コマーシャルを消費者の視聴体験への一方的な妨害とみなす。消費者はそれ故、ビデオレコーダを用いてこれらコマーシャルブロックをスキップし、このことは放送者の広告料収入を減少させる。
【発明の概要】
【発明が解決しようとする課題】
【０００３】
コマーシャルをスキップすることがあまり重要ではなくなる又は望ましくなくなるように、視聴体験を改善するために、コマーシャル（コマーシャルブロック）への遷移を平滑化することが望ましい。
【課題を解決するための手段】
【０００４】
このことは、第１のビデオセグメントと第２のビデオセグメントとの間の遷移を平滑化するための方法であって、第１のビデオセグメントの内容の第１のプロファイルを決定するステップと、第２のビデオセグメントの内容の第２のプロファイルを決定するステップと、前記第１のビデオセグメントと第２のビデオセグメントとの間の遷移を平滑化するため、前記決定された第１のプロファイルが前記決定された第２のプロファイルと類似している位置において前記第２のビデオセグメント内に前記第１のビデオセグメントを挿入するステップと、を有する方法によって、本発明の第１の態様により効果的に達成される。
【０００５】
このことはまた、第１のビデオセグメントと第２のビデオセグメントとの間の遷移を平滑化するための装置であって、第１のビデオセグメントの内容の第１のプロファイルを決定するための第１の決定手段と、第２のビデオセグメントの内容の第２のプロファイルを決定するための第２の決定手段と、前記第１のビデオセグメントと第２のビデオセグメントとの間の遷移を平滑化するため、前記決定された第１のプロファイルが前記決定された第２のプロファイルと類似している位置における、前記第２のビデオセグメント内への前記第１のビデオセグメントの挿入のための位置を決定するための第３の決定手段と、を有する装置によって、本発明の第２の態様により達成される。
【０００６】
このようにして、所与のコマーシャルの、他のコマーシャルでないコンテンツ（例えば映画又はＴＶシリーズのような物語コンテンツ）との、よりシームレスな統合を可能とする、単純なビデオ編集オプションのセットが提供される。該編集は、重要な情報を保存しつつ、コマーシャル又はコマーシャルブロックへの遷移の急激さを最小化し、コマーシャルをスキップすることを、より望ましくないものとする。本発明は、プロフェッショナル向けの映画及びＴＶ放送及び編集において利用される際に、特に有効である。
【０００７】
事実上、本発明のシステムは、コマーシャルのブロック用の挿入点を効果的に変更する。加えて、ブロック内の個々のコマーシャルが再配置され、更に、隣接するコマーシャルでないコンテンツからの（への）遷移位置に加え、個々のコマーシャル間の境界において、オーディオビジュアルコンテンツが変更されても良い。コマーシャルが定まった位置に挿入される場合、例えばコンテンツ生成者がコマーシャルを挿入するための一定の時間を決定している場合には、隣接するコマーシャルでないコンテンツからの（への）遷移位置に加え、個々のコマーシャル間の境界におけるオーディオビジュアルコンテンツも変更されても良い。
【０００８】
更に、好適な実施例においては、本システムは、一度編集されたコマーシャルを検出するための方法及び戦略を利用し、コマーシャルが依然として検出可能である場合には、マテリアルをシステムにフィードバックすることによりマテリアルを編集することによって、確認されても良い。
【０００９】
コマーシャルの内容がプロファイル化され、該プロファイルに基づいて、コマーシャルをどこに挿入するかの選択が実行されても良い。実際には、コマーシャルが挿入されることができる具体的な点、及びコンテンツ内の全体的な位置には、幾つかの制限があり得る（前者の例は「場面の末尾の後にのみ」といったもので、後者の例は「コンテンツに対して１５乃至２０分」といったもの）。これらの制約のなかで、コマーシャルと含まれるコンテンツとの間の違いを最小化し、それ故望ましい平滑な遷移を提供するように、コマーシャル挿入のための最適な位置が選択される。
【００１０】
更に、コマーシャルの内容のプロファイル化において、ブロック内の個々のコマーシャルが再配置されても良い。コマーシャルがコマーシャルではないコンテンツとの境界に隣接して及び該境界に対して配置される順序に関する選択は、それぞれのプロファイルに基づいて決定される。このことは、コマーシャルブロック内の、典型的に高いオーディオビジュアル変化を取り除くために用いられ得る。実際、視聴者にとってとりわけ混乱を起こし不快なものは、比較的短い時間の間（数分間）の多くのオーディオビジュアル特性の頻繁且つ急激な断続のパターンである。
【００１１】
隣接するコマーシャルでないコンテンツからの（への）遷移位置に加え、コマーシャル間の境界におけるオーディオビジュアルコンテンツが変更されても良い。例えばYing Li及びC.-C. Jay Kuoによる「Video Content Analysis Using Multimodal Information」（2003年、Kluwer Academic Publishers Group、ISBN 1-4020-7490-5）に開示されているように、例えばクロスフェード（cross-fade）やディゾルブ（dissolve）のような視覚的な（カメラの）ショット間の緩やかな遷移は、より混乱を起こさないものであり、急激なカットよりも検出が困難であることが知られている。従って、斯かる緩やかな遷移をコマーシャル間の境界で提供する際には、遷移が更に平滑化され、高速な視覚的なショットのカット又はオーディオビジュアル的なスーパーセパレータ（super-separator）の検出を効果的に妨害する。同様の効果はオーディオにおいても生成され得、可聴でないノイズの挿入も有用となり得る。
【００１２】
本発明のより完全な理解のため、添付図面に関連する以下の記載への参照が為される。
【図面の簡単な説明】
【００１３】
【図１】本発明の実施例による装置の簡略化された模式的な図である。
【図２】コマーシャルブロックを含む、特徴的な映画における低レベル特徴統計の第１の例を示す。
【図３】コマーシャルブロックを含む、特徴的な特徴映画における低レベル特徴統計の第２の例を示す。
【発明を実施するための形態】
【００１４】
図１を参照しながら、本発明の実施例の装置が、より詳細に説明される。装置１００は、マルチメディアデータストリームを受信するための入力端子１０１を有する。入力端子１０１は、マルチメディア（オーディオビジュアル）コンテンツ解析器１０３の入力部、及びビデオ編集器１０５の入力部に接続される。ビデオ編集器１０５の出力部は、装置１００の出力端子１０７に接続される。マルチメディアコンテンツ解析器１０３の出力部は、ビデオ編集器１０５のコントローラ１０９に接続される。ビデオ編集器１０５の出力部はまた、基準検出器１１１を介して、ビデオ編集器１０５のコントローラ１０９へのフィードバックループに接続される。
【００１５】
該装置の動作が、以下に詳細に説明される。
【００１６】
第２のビデオセグメントＳ１、…、ＳＮ及び第１のビデオセグメントＣ１、…、ＣＭを有するマルチメディアデータストリームが、装置１００の入力端子１０１に入力される。単純さのため、第１及び第２のセグメントは、入力端子１０１上で独立して入力されるように示される。第１のビデオセグメントは、複数の個々のコマーシャルＣ１、…、ＣＭ又は例えば情報データのセグメントから成る。第２のビデオセグメントは、視覚的なショットＳ１、…、ＳＮ（の群）の連続したシーケンスとして放送される、コマーシャルでないビデオコンテンツから成る。第１及び／又は第２のビデオセグメントは、視覚的なデータ及び対応するオーディオデータの両方を含む。
【００１７】
入力マルチメディアデータストリームは、マルチメディアコンテンツ解析器１０３により解析される。第１及び第２のビデオセグメントＣ１、…、ＣＭ及びＳ１、…、ＳＮは最初に、例えば人間により為されるオーディオビジュアル的な検査に基づいて識別され、ことによると容易なインデクシング及びアクセスのために（関連するメタデータによって）ラベル付けされる。次いで、第１及び第２のビデオセグメントの挙動の特性となり得る特徴が抽出される。多くのオーディオビジュアル特徴、及びこれら特徴の抽出のための方法が、当業者には知られている。幾つかの例が、以下に列挙される：
・高レベル特徴
−場面中の人間の存在（顔又は音声認識により確立され得る）
−物体又は発話者追跡（発話者の切り替わりの検出を含む）
−コンテンツの雰囲気（例えば音楽の雰囲気から又は発話の韻律の解析により導出される）
・中間レベル特徴
−場面のオーディオ構成（音声、音楽、音声＋音楽、音声＋背景のノイズ、等）
−視覚的な（カメラの）ショットカットの位置特定
−オーディオビジュアル的な区切り、即ちスーパーセパレータの存在の検出（モノクロのビデオフレームとオーディオ的な無音との結合）
−重畳されたテキスト、放送者のロゴ等の存在の検出
・低レベル特徴
−視覚的なもの
−優位な色（例えば色空間における最も大きなクラスタの色）
−輝度、色度（色）平均、ヒストグラム、勾配等
−視覚的なアクティビティのレベル及び勾配（例えば動きベクトルのような符号化パラメータの統計から導出される）
−場面複雑さのレベル及び勾配（例えば符号化ビットレートと量子化パラメータとの積のような、符号化パラメータの統計から導出される）
−オーディオ（時間的及び空間的な特性）
−音量
−テンポ（例えば発話者のもの）
−背景ノイズ特性
−ピッチ・ダイナミクス（例えば発話者のもの）
【００１８】
抽出された特徴は次いで、解析器１０３により処理され、ビデオ編集器１０５を制御するための内容プロファイルを生成する。
【００１９】
内容のプロファイル化は、抽出された特徴に基づく内容の類似度の推定である。これらプロファイルは、以下に説明される種々の方法で生成される。
【００２０】
プロファイルは典型的には、例えば幾つかの連続するビデオフレーム（解析ウィンドウ）に亘る各特徴について計算された平均及び標準偏差のような、特徴の統計から構成され得る。高レベル特徴については標準偏差が最も有意なものとなり得るが、二値信号のために適切なほかの手段も想像可能である。
【００２１】
第１の実施例においては、各特徴の候補は個別に考慮され、種々の特徴から得られた結果が、最終決定を形成するために組み合わせられる。従って、第１のビデオセグメント及び第２のビデオセグメントの内容について、単一の特徴プロファイルが生成される。これら単一の特徴プロファイルは、類似度の推定値（信頼度、確率）を導出するために比較される。これら推定値は例えば、距離のような基準（距離が短いほど類似度が大きい）を測定することにより得られる。多くの推定値が次いで、多数決、重み付けを用いた線形決定モデル、ファジイ論理、マルコフ（Markov）モデル等のような良く知られた手法を用いて、単一の決定へと組み合わせられる。
【００２２】
代替の実施例においては、低レベル特徴の結合から合成プロファイルが得られる。ここで、各特徴の統計（上述したような）を含む多次元特徴ベクトルが得られる。種々のコンテンツアイテムから抽出された斯かる特徴ベクトル間の類似度が次いで、Richard O. Duda、Peter E Hart、David G. Storkによる「Pattern Classification」（2001年、John Wiley & Sons、ISBN 0-471-05669-3）に開示されるような、例えばデータクラスタリングのような、統計パターン分類の分野から知られた手法を用いて測定される。このことは、教師あり学習及びニューラルネットワークのような手法を用いることにより実現され得る。
【００２３】
最後に、類似度の尺度を決定するために多次元特徴ベクトルにおける高レベル特徴を組み合わせることは適切ではない場合があり、実現可能でさえない場合があることは、留意されるべきである（例えば、発話者追跡又はコンテンツの雰囲気のような高レベル特徴を量子化することは困難であり得る）。この場合には、例えば類似度の尺度を得るために発見的方法を適用することにより特徴が別個に評価され、その後にこれら特徴が上述した手法を用いて組み合わせられても良い。
【００２４】
以上の実施例による内容プロファイル化の概念は、斯かる特徴の統計の２つの例を示す、図２（ａ）乃至（ｄ）及び図３（ａ）乃至（ｄ）を参照しながら、更に説明される。本例において、特徴的な映画及びアニメーション化された漫画のシーケンスが示される。
【００２５】
図２（ａ）及び３（ａ）はグランドトゥルース（ground truth）（手動のアノテーション）を表し、ここで１はコマーシャルに対応し、０はコマーシャルではないコンテンツに対応する。図２（ｂ）及び３（ｂ）は、本例の１つのビデオフレームの平均輝度の標準偏差としてのデータを表す。各フレーム位置において、該標準偏差は、当該位置にセンタリングされた３５００個のビデオフレーム（ＰＡＬビデオの約２．５分）の解析ウィンドウに亘って計算される。図２（ｃ）及び３（ｃ）は、それぞれ図２（ｂ）及び３（ｂ）の同一の例についての音声の確率を表す。図２（ｄ）及び３（ｄ）は、それぞれ図２（ｂ）、２（ｃ）、３（ｂ）及び３（ｃ）の同一の例についての音楽の確率を表す。
【００２６】
説明のため、元のデータは２のファクタによりサブサンプリングされている。
【００２７】
図２（ａ）乃至２（ｄ）の第１の例において、最も差別的な特徴は、図２（ｃ）に示されるような音声確率である。各コマーシャルブロックは、殆どが低振幅である映画データにおいて、特徴的な「曲線状の台地」を生成しており、該音声確率は既にコマーシャルブロックを分離しているように見える。
【００２８】
コマーシャルブロックＣＢ２を考えると、同一のコマーシャルブロックが、コマーシャルではないコンテンツの後続するピークに近くなるように、僅かに後に挿入されたとすると、コマーシャルブロックと映画部分との両方を同時にカバーする「台地状部分」を生成することとなる。それ故、このことは、後続する映画データに対して、よりシームレスな遷移を生み出すこととなる。主に「台地状部分」がコマーシャルブロックの特徴であると学習した、人間及び自動分類器の両方に対して、該遷移はシームレスに見える。同様の観測は、後に挿入されると後続する映画データに対して、よりシームレスな遷移を生み出し得るＣＢ３に対しても為され得る。ここでも図２（ｃ）を参照されたい。
【００２９】
図３（ａ）乃至３（ｄ）の第２の例においては、分離のための最良の手掛かりは平均輝度であり、オーディオ特徴は非常に差別的なものではない。この場合には、コマーシャルブロック自体間で付加的な差が観測され得る。３番目のコマーシャルブロックは、最も目立つ「台地状部分」を形作っており、図３（ｂ）から明らかに分かるように、１番目及び４番目に対応するものとは区別可能である。該台地状部分を平坦化することは、異なるブロック間で個々のコマーシャルを再分散させることにより実現され得る。
【００３０】
幾つかの他のジャンルにおいて、これらの特徴はいずれも差別的なものとならず、何らかの他の特徴が差別的なものとなることが想到され得る。プロファイルを生成するための多くの特徴の組み合わせを好適にするものはまさに、コンテンツのタイプ（ジャンル）に対する、低レベル特徴の差別力の当該依存性である。或る特徴出力において編集が生じ得るいずれかの混乱が「増殖する」、即ち他の特徴において出現するという点で、このことは同様に好適である。人工的なパターンが幾つかの通常は非差別的な特徴において生じ、ビデオ編集者の有効性を増大させることも、想到され得る。
【００３１】
以上の解析の出力は、特定の編集動作をユーザ（放送者）に推奨するため、又は適切な編集動作を自動的に実行するため、ビデオ編集器１０５のコントローラ１０９に入力される。
【００３２】
斯かる編集の生じ得る結果が、図１に示される。コマーシャルブロックＣ３Ｃ１が構成され、ショット群ＳＪとＳＪ＋１との間に挿入される。その理由は、ＳＪの末尾部が、Ｃ３の開始部に最も類似しており、ＳＪ＋１の開始部がＣ１の末尾部に最も類似していることが見出されたことであり得る。又は、Ｃ３からＣ１への遷移において、高い類似度が観測されたことであり得る。結果として、コマーシャルではない部分とコマーシャルとの間で滑らかな遷移が観測され、快適な視聴をもたらし、更にＰＶＲによる自動的なコマーシャルブロック検出を防ぐことを支援する。更に、本分野において良く知られているようなクロスフェード、無音の挿入等による、異なるセグメント間に生じ得る追加的なコンテンツから成るセグメント「Ｔ」が、挿入されても良い。
【００３３】
編集操作は、プロフェッショナル向けビデオ再生において一般的な、圧縮されたビデオ（即ちエンコードの後）を用いて実行されても良い。また、基準検出器器１１１とマルチメディア（オーディオビジュアル）コンテンツ解析器１０３とは、共に幾つかの同一の動作を実装し得るため、重複し得る。
【００３４】
編集器１０５から出力される編集されたデータストリームは、編集器１０５のコントローラ１０９にフィードバックされ、基準検出器１１１を介して編集器１０５に対して調節を為す。基準検出器１１１は、コマーシャル部分とコマーシャルでない部分との間を区別するため、コマーシャルでない部分とコマーシャルブロックとの間の遷移を探す既知のコマーシャルブロック検出器を有する。編集器１０５により生成される遷移が滑らかでない場合には、このことが基準ブロック１１１により検出され、異なるビデオセグメント間の遷移の平滑化を改善するように編集器１０５の操作を調節するため、コントローラ１０９に送られる。編集されたデータストリームは次いで、装置１００の出力端子１０７に送られる。
【００３５】
本発明は好適な実施例に関連して説明されたが、以上に概説された原理内の変更は当業者には明らかであり、それ故本発明は好適な実施例に限定されるものではなく、斯かる変更を包含するものであることは、理解されるであろう。本発明は、それぞれの及び全ての新規な特徴並びに特徴のそれぞれの及び全ての組み合わせに存する。請求項における参照番号は、請求の範囲を限定するものではない。動詞「有する（comprise）」及びその語形変化の使用は、請求項に記載されたもの以外の要素又はステップの存在を除外するものではない。要素に先行する冠詞「１つの（a又はan）」の使用は、複数の斯かる要素の存在を除外するものではない。
【００３６】
当業者には明らかであるように、「手段（means）」は、単独で又は他の機能と組み合わせて、単独の又は他の要素と協働する、いずれのハードウェア（別個の又は集積された回路又は電子素子のような）又は、特定の機能を動作時に実行する若しくは実行するように構成されたソフトウェア（プログラム又はプログラムの一部のような）をも含むことを意図している。本発明は、幾つかの別個の要素を有するハードウェアによって、及び適切にプログラムされたコンピュータによって実装されても良い。幾つかの手段を列記した装置請求項において、これら手段の幾つかは同一のハードウェアのアイテムによって実施化されても良い。「コンピュータプログラム」は、フロッピー（登録商標）ディスクのようなコンピュータ読み取り可能な媒体に保存されたもの、インターネットのようなネットワークを介してダウンロード可能なもの、又は他のいずれかの態様で入手可能な、いずれのソフトウェアをも意味するものと理解されるべきである。
【図１】
2010518672.tif 000003
【図２】
2010518672.tif 000004
【図３】
2010518672.tif 000005
【国際調査報告】
2010518672.tif 000006
2010518672.tif 000007